(57)【要約】【課題】ヘッドボード又はフットボードのパネル部材を着脱可能に設けるとともに、不用意に取り外すことができないようにしたことにある。【解決手段】ベッドフレームは所定間隔で平行に離間対向して配置される一対の側部材と、ヘッドボード３及びフットボード４を備え、ヘッドボード及びフットボードは、一対の側部材の長手方向の端部に幅方向の両端部が連結される下横部材１１と、下横部材の幅方向の両端部に上方に向かって設けられた一対のガイド部材１２と、これらガイド部材に幅方向の両端部をスライド可能に係合させて設けられたパネル部材１３によって構成されていて、パネル部材を一対のガイド部材間に取付けたとき、パネル部材をガイド部材に対してスライド不能に保持するストッパ装置１６を備えている。【選択図】      図１０
2016036645.tif 000002
【特許請求の範囲】
【請求項１】
ベッドフレームを有するベッド装置であって、
前記ベッドフレームは所定間隔で平行に離間対向して配置される一対の側部材と、これら側部材の端部に連結されるボード体を備え、
前記ボード体は、
前記一対の側部材の長手方向の端部に幅方向の両端部が連結される下横部材と、
前記下横部材の幅方向の両端部に上方に向かって設けられた一対のガイド部材と、
これらガイド部材に幅方向の両端部をスライド可能に係合させて設けられたパネル部材によって構成されていて、
前記パネル部材を前記一対のガイド部材間に取付けたとき、前記パネル部材を前記ガイド部材に対してスライド不能に保持するストッパ装置を備えていることを特徴とするベッド装置。
【請求項２】
前記ストッパ装置は、前記パネル部材の上端部を除く部分に設けられていることを特徴とする請求項１記載のベッド装置。
【請求項３】
前記ストッパ装置は、前記パネル部材の幅方向両端部の下端面に設けられていることを特徴とする請求項１記載のベッド装置。
【請求項４】
前記一対のガイド部材の対向する側面には突条或いは凹溝の一方が上下方向に沿って設けられ、前記パネル部材の幅方向両端部には前記突条或いは凹溝の一方にスライド可能に係合する他方が上下方向に沿って設けられていて、
前記ストッパ装置は前記突条が前記凹溝に対して相対的にスライドするのを阻止することを特徴とする請求項１記載のベッド装置。
【請求項５】
前記ストッパ装置は筐体を有し、この筐体には突出方向に弾性的に付勢されているとともに、付勢力に抗して突出しない状態で保持されるストッパ軸が設けられ、
前記パネル部材を前記一対のガイド部材間に挿入したとき、前記ストッパ軸の保持状態を解除して前記付勢力によって前記筐体から突出させることで、前記ガイド部材に係合して前記パネル部材がスライド不能に保持されることを特徴とする請求項４記載のベッド装置。
【請求項６】
前記ストッパ装置は、
所定方向に沿う収容空間部及びこの収容空間部の前記所定方向の一端を外部に連通させる通孔が設けられた前記筐体と、
この筐体の前記収容空間部に前記所定方向に沿ってスライド可能に収容され一端に前記通孔に挿通される前記ストッパ軸が設けられスライド方向と交差する方向に沿って受け部が設けられたスライダと、
前記筐体内に設けられ前記スライダを前記ストッパ軸が前記通孔から突出する方向に付勢したばねと、
前記スライダの前記受け部に中途部を係合させるとともに両端部を前記筐体の両側から外部に突出させて設けられ前記スライダを前記ばねの付勢力に抗してスライドさせることで、前記ストッパ軸を前記通孔から突出しない位置まで後退させる操作部材と、
前記筐体の両側に設けられ前記操作部材とともに前記スライダを前記ばねの付勢力に抗してスライドさせて前記ストッパ軸を前記通孔から突出しない位置まで後退させたとき、前記操作部材を前記ばねの付勢力に抗してスライド不能に係合保持する係合部と
によって構成されていることを特徴とする請求項５記載のベッド装置。
【請求項７】
前記ガイド部材には前記ベッドフレームを所定の高さで支持する脚部材がスライド可能に設けられ、
前記下横部材は中空状であって、その内部には、前記ガイド部材とともに前記ベッドフレームを上昇方向及び下降方向に駆動して前記ベッドフレームの支持高さを変更する駆動機構が設けられていることを特徴とする請求項１記載のベッド装置。
【発明の詳細な説明】
【技術分野】
【０００１】
この発明は長手方向の一端と他端にボード体としてのヘッドボードとフットボードが設けられるベッド装置に関する。
【背景技術】
【０００２】
一般に、ベッド装置はベッドフレームを備えている。このベッドフレームは所定間隔で平行に離間対向して配置される一対の側部材を有し、この側部材の長手方向一端にはボード体としてのヘッドボード、他端には同じくボード体としてのフットボードが設けられている。前記一対の側部材、ヘッドボード及びフットボードによって平面形状が矩形枠状の前記ベッドフレームを構成している。
【０００３】
そして、前記ベッドフレームの枠内には、前記側部材に支持されて床板体が架設され、この床板体上に利用者が仰臥する寝具としてたとえばマットレスが載置される。
【０００４】
前記ベッド装置の利用者が病人、身体の不自由な人或いは認知症などの場合、前記マットレス上の利用者の介護が必要となることがある。利用者を介護する場合、通常はベッド装置の横方向、つまり前記側部材の方向から行うようにしている。
【０００５】
ところで、洗髪をしたり、首回りを拭くなど、利用者の頭部側の介護を行う場合、ベッド装置の側部材の側から行うよりも、ヘッドボード側から行った方が少ない負担で能率よく行うことが可能となる。同様に、利用者の脚部を拭いたり、足の爪を切るなどの足部側の介護を行う場合、フットボード側から行った方が作業性がよいということがある。
【０００６】
しかしながら、上述したように従来のベッド装置は、ベッドフレームの長手方向の一端にはヘッドボード、他端にはフットボードが設けられているから、マットレス上に仰臥した利用者の頭部側の介護をヘッドボード側から行ったり、足部側の介護をフットボード側から行うということができなかった。
【０００７】
そこで、前記ヘッドボードやフットボードのボード体を、平行に立設された一対のガイド部材と、これらガイド部材によって幅方向の両端部がスライド可能に支持されたパネル部材とによって構成するベッド装置が提案されている。
【先行技術文献】
【特許文献】
【０００８】
【特許文献１】特許第４４９１４３３号公報
【発明の概要】
【発明が解決しようとする課題】
【０００９】
上述した構成のベッド装置によれば、介護時には前記パネル部材を一対のガイド部材間から取り外すことで、介護者は利用者の頭部側の介護をヘッドボード側から行ったり、足部側の介護をフットボード側から行うことが可能となる。
【００１０】
しかしながら、従来のベッド装置はボード体の一対のガイド部材間に、パネル部材を単にスライド可能に保持しているだけでの構造であった。
【００１１】
そのため、パネル部材をガイド部材に沿って容易にスライドさせることができるから、利用者がたとえば認知症の患者の場合、前記パネル部材を引き上げて一対のガイド部材間から外してしまうということがあった。
【００１２】
また、前記パネル部材が一対のガイド部材間にスライド可能に設けられている構造のため、前記パネル部材にわずかな外力が加わるなどすると、がた付き易いということがあったり、不用意に上昇させ、下端に足や手の指などを挟んでしまうという虞もあった。
【００１３】
この発明は、利用者の頭部側や足部側を介護するときには、パネル部材を一対のガイド部材間から取り外すことができ、介護しないときには前記パネル部材を確実にスライド不能に保持できるようにしたベッド装置を提供することにある。
【課題を解決するための手段】
【００１４】
この発明は、ベッドフレームを有するベッド装置であって、
前記ベッドフレームは所定間隔で平行に離間対向して配置される一対の側部材と、これら側部材の端部に連結されるボード体を備え、
前記ボード体は、
前記一対の側部材の長手方向の端部に幅方向の両端部が連結される下横部材と、
前記下横部材の幅方向の両端部に上方に向かって設けられた一対のガイド部材と、
これらガイド部材に幅方向の両端部をスライド可能に係合させて設けられたパネル部材によって構成されていて、
前記パネル部材を前記一対のガイド部材間に取付けたとき、前記パネル部材を前記ガイド部材に対してスライド不能に保持するストッパ装置を備えていることを特徴とするベッド装置にある。
【発明の効果】
【００１５】
ガイド部材に対してスライド可能に支持されたパネル部材を、ストッパ装置によって前記ガイド部材に対してスライド不能に保持できる。そのため、前記パネル部材が不用意に持ち上げられたり、取り外されるのを確実に防止することができる。
【図面の簡単な説明】
【００１６】
【図１】この発明の一実施の形態を示し、ベッドフレームが脚部材によって上昇した位置で支持されたベッド装置の斜視図。
【図２】図１に示すベッド装置の平面図。
【図３】ボード体の下横部材を断面し、ベッドフレームを上下方向に駆動するための駆動機構を示した図。
【図４】ガイド部材に支持されて下降位置にあるボード体の半断面正面図。
【図５】ボード体の幅方向の端部に設けられたガイド部材と、このガイド部材の凹溝が係合する登場を有する受け部材を、前記ボード体の下端面側から見た図。
【図６】ガイド部材の突条にボード体に設けられた受け部材の凹溝を係合させた状態を前記ボード体の下端面側から見た図。
【図７】（ａ）はストッパ装置の蓋体を断面した平面図、（ｂ）はストッパ装置の側面図、（ｃ）はストッパ装置の筐体と蓋体を分解して示す側面図。
【図８】（ａ）はストッパ装置のストッパ軸がばねによってロック位置に付勢された状態の断面図、（ｂ）は前記ストッパ軸がばねの付勢力に抗してロック解除の位置に保持された状態の断面図。
【図９】脚部材がガイド部材内に入り込むことで、ベッドフレームが下降した位置で支持されたベッド装置の斜視図。
【図１０】（ａ）はボード体のパネル部材を一対のガイド部材間で下降させた状態の正面図、（ｂ）は前記パネル部材を一対のガイド部材間から上昇させた状態の正面図。
【発明を実施するための形態】
【００１７】
以下、この発明の一実施の形態を図１乃至図１０を参照しながら説明する。  
図１に示すベッド装置Ｂはベッドフレーム１を備えている。このベッドフレーム１は図２に示すように所定間隔で平行に離間対向して配置された一対の側部材２を有する。
【００１８】
前記側部材２の長手方向一端と他端とには、それぞれボード体としての同じ構造のヘッドボード３とフットボード４の下端部が後述するように連結固定されている。それによって、前記ベッドフレーム１は図２に示すように平面形状が矩形枠状をなしている。
【００１９】
前記ベッドフレーム１の枠内には、床板体６が前記側部材２の内面に所定間隔で突設された複数の受け部材７によって支持されている。前記床板体６の上面には図示しない寝具としてのマットレスが載置される。そして、このマットレスの上面に身体の不自由な老人や病人などの利用者が仰臥するようになっている。
【００２０】
前記床板体６は横桟８が所定間隔で架設された５つの床部６ａ〜６ｅに分割されていて、これら床部６ａ〜６ｅは互いに回動可能に連結されている。つまり、長手方向の中央に位置する固定床部６ａは前記ベッドフレーム１に固定されている。この固定床部６ａの一側には腰床部６ｂと背床部６ｃが順次枢着され、他側には第１の脚床部６ｄと第２の脚床部６ｅが順次枢着されている。
【００２１】
前記ベッドフレーム１の両側内面の長手方向中央部には、同期して作動する一対の背上げ用駆動機構９が設けられている。この背上げ用駆動機構９は前記ベッドフレーム１の下面側に突出しない高さ寸法に構成されていて、前記背床部６ｃを前記腰床部６ｂとともに起上方向に駆動するととともに、前記第１の脚床部６ｄと第２の脚床部６ｅが山形状になるよう駆動するようになっている。
【００２２】
前記背上げ用駆動機構９としては、たとえば特許第４３１７１２９号公報や特許第３８１０６８７号公報に示される構造のものを用いるようにしてもよい。
【００２３】
前記ベッドフレーム１の側部材２は扁平な角筒状の部材によって形成されていて、その長手方向の一端部側と他端部側の上下面には図２に示すようにそれぞれ２つで対をなす２組の取付け孔１０が上下方向に貫通して穿設されている。
【００２４】
各組の取付け孔１０には、図示しない側柵の下端側に突出して設けられた一対の軸部を着脱可能に差し込むことができるようになっている。つまり、前記ベッドフレーム１の側部には前記取付け孔１０を利用してそれぞれ一対の側柵を着脱可能に取付けることができるようになっている。
【００２５】
図１に示すように、前記ヘッドボード３とフットボード４は下横部材１１を有する。この下横部材１１は前記一対の側部材２とともに前記ベッドフレーム１を構成している。前記下横部材１１は、偏平な角筒状の部材によって形成されていて、前記一対の側部材２の対向間隔とほぼ同等の長さ寸法を有している。
【００２６】
前記下横部材１１の長手方向の両端には、下端部を前記下横部材１１の端部に連結した筒状のガイド部材１２が上方向に向かって設けられている。前記ガイド部材１２は上下端面が開放した筒状であって、上端開口はエンドカバー１５によって閉塞されている。図５に示すように、一対のガイド部材１２の対向する側面には先端が平坦面１２ｂに形成された、断面台形状の突条１２ａが上下方向に沿って一体成形されている。
【００２７】
一対のガイド部材１２の間には平板状のパネル部材１３が設けられている。このパネル部材１３の幅方向両端部には上下方向に沿うスライド部材１４が設けられている。このスライド部材１４は図５に示すように一端部にコ字状部１４ｂ形成され、このコ字状部１４ｂを前記パネル部材１３の端部に外嵌させて取付け固定されている。
【００２８】
前記スライド部材１４の他端部には前記突条１２ａがスライド可能に係合する凹溝１４ａが上下方向全長にわたって形成されている。この凹溝１４ａの底面は前記突条１２ａの平坦面１２ｂに接触する平坦面１４ｃに形成されている。
【００２９】
前記凹溝１４ａは一対のＬ字状の鉤部１４ｄによって形成され、前記突条１２ａの両側には一対の前記鉤部１４ｄの先端部が係合する凹部１２ｃが上下方向全長にわたって形成されている。
【００３０】
前記パネル部材１３は、前記凹溝１４ａを前記突条１２ａに係合させて、前記一対のガイド部材１２間に上下方向に沿ってスライド可能に支持されている。前記パネル部材１３は、図６に示すように前記スライド部材１４の鉤部１４ｄが前記ガイド部材１２の凹部１２ｃに係合し、しかも前記凹溝１４ａの平坦面１４ｃに前記突条１２ａの平坦面１２ｂが接触した状態で、前記パネル部材１３が前記ガイド部材１２に沿ってスライドするようになっている。
【００３１】
そして、前記パネル部材１３は図１０（ａ）に示す状態から、図１０（ｂ）に示すように、前記突条１２ａに沿って上方へスライドさせることで、前記一対のガイド部材１２間から取り外すことができるようになっている。
【００３２】
前記ガイド部材１２に突条１２ａを設け、前記スライド部材１４に凹溝１４ａを設けたが、前記スライド部材１４に突条１２ａを設け、前記ガイド部材１２に凹溝１４ａを設けるようにしてもよい。
【００３３】
なお、前記ガイド部材１２の上端開口を閉塞した前記エンドカバー１５は前記パネル部材１３の幅方向両端部の上部にねじ止め固定されている。
【００３４】
図４及び図１０（ａ），（ｂ）に示すように、前記パネル部材１３の幅方向両端部の下端面には後述する構成のストッパ装置１６が設けられている。一対のストッパ装置１６は、一対の前記ガイド部材１２間に挿入された前記パネル部材１３が上方へスライドするのを阻止する。
【００３５】
つまり、前記ストッパ装置１６は、後述するように一対の前記ガイド部材１２間に挿入された前記パネル部材１３が上下方向に対してがた付いたり、一対のガイド部材１２間から取り外されるのを阻止する構成となっている。
【００３６】
図３に示すように、前記ガイド部材１２の内部には上端部に連結駒１７が固着された脚部材１８が図示しない部材にガイドされて移動可能に挿入され支持されている。それによって、前記脚部材１８は前記ガイド部材１２に対して相対的に上下方向に移動可能となっている。前記脚部材１８の下端には前記ガイド部材１２の下端開口よりも大きい円盤状の支持部材１９が取付けられている。
【００３７】
図２に示すように、前記フットボード４の前記下横部材１１の内面には、前記ベッドフレーム１を前記脚部材１８に沿って上下方向に駆動する駆動機構２１を構成する駆動モータ２２が設けられている。この駆動モータ２２には出力ユニット２３が連結されている。
【００３８】
前記出力ユニット２３には、前記出力ユニット２３を介して前記駆動モータ２２により回転駆動される出力軸２４の一端部が取り付けられている。この出力軸２４は前記床板体６の下面側の幅方向一端部に、前記ベッドフレーム１の長手方向に沿って回転可能に支持されて配置されている。
【００３９】
前記出力軸２４の一端はフットボード４の下横部材１１の内部に突出させ、他端はヘッドボード３の下横部材１１の内部に突出させて回転可能に支持されている。
【００４０】
図３に示すように、各下横部材１１（フットボード４の下横部材１１のみ図示）の内部には、両端部が軸受ユニット２５に回転可能に支持されたねじ軸２６が長手方向に沿って設けられている。このねじ軸２６にはナット体２７が螺合されている。
【００４１】
前記ナット体２７は前記ねじ軸２６が回転駆動されたとき、このねじ軸２６とともに回転することなく、前記下横部材１１の内部を前記ねじ軸２６の軸方向に沿って移動するよう、前記下横部材１１の内部に回転不能に支持されている。
【００４２】
前記ナット体２７には下部と上部に第１のワイヤ２８と第２のワイヤ２９の一端がそれぞれ連結されている。前記ナット体２７から導出された前記第１のワイヤ２８は、第１の滑車３１に係合して上方に方向変換され、その他端は前記フットボード４の幅方向一端側に位置する一方の脚部材１８の上端部に設けられた前記連結駒１７に連結されている。前記第１の滑車３１は前記下横部材１１の長手方向一端部内に固定された第１のブラケット３０ａに回転可能に取付けられている。
【００４３】
前記第２のワイヤ２９は、前記第１の滑車３１の近くで、前記第１のブラケット３０ａに回転可能に取付けられた第２の滑車３２に係合して水平方向に方向変換され、前記下横部材１１の長手方向の他端側に導かれている。
【００４４】
前記下横部材１１の他端部内には第２のブラケット３０ｂが固定されている。この第２のブラケット３０ｂには上下方向に第３滑車３３及び第４の滑車３４が回転可能に取付けられている。前記第２の滑車３２によって方向変換された前記第２のワイヤ２９は前記第３、第４の滑車３３，３４に順次係合して垂直方向上方に方向変換されている。
【００４５】
そして、前記第２のワイヤ２９の他端は前記フットボード４の幅方向他端側に位置する他方の脚部材１８の上端部に設けられた前記連結駒１７に連結されている。
【００４６】
ヘッドボード３及びフットボード４の下横部材１１の内部に突出した前記出力軸２４と前記ねじ軸２６は軸線を直交させて配置されている。前記出力軸２４の一端部と他端部（図３では一端部のみを図示）にはそれぞれ第１の歯車３６が嵌合されている。この第１の歯車３６は、前記ねじ軸２６の一方の端部に前記第１の歯車３６と軸線を直交させて設けられた第２の歯車３７に噛合している。
【００４７】
したがって、前記駆動モータ２２が作動し、前記出力ユニット２３を介して前記出力軸２４が回転駆動されると、この出力軸２４の回転に前記ねじ軸２６が連動する。このねじ軸２６が回転すると、前記ねじ軸２６に螺合されたナット体２７が前記ねじ軸２６の回転方向に応じて前記下横部材１１の内部を、前記ねじ軸２６に沿って図３に示す矢印Ａ或いは矢印Ｃで示す方向に沿って移動する。
【００４８】
前記ナット体２７が、たとえば矢印Ａで示す方向に移動すれば、前記第１のワイヤ２８と第２のワイヤ２９の一端部が前記下横部材１１の内部に引き込まれる。それによって、前記下横部材１１及びこの下横部材１１と一体的に設けられたガイド部材１２及び側部材２が前記脚部材１８に対して相対的に上昇方向に駆動される。つまり、前記ベッドフレーム１が前記脚部材１８に沿って上昇方向に駆動される。
【００４９】
逆に、前記ナット体２７を矢印Ｃで示す方向に移動するよう前記ねじ軸２６が回転駆動されれば、第１、第２のワイヤ２８，２９の前記下横部材１１の内部に引き込まれた部分が前記下横部材１１から繰り出されるから、これらワイヤ２８，２９が繰り出された長さに応じて前記ベッドフレーム１が自重によって下降する。
【００５０】
すなわち、上述した駆動モータ２２、出力ユニット２３、出力軸２４、ねじ軸２６、第１、第２のワイヤ２８，２９、第１乃至第４の滑車３１〜３４などから構成された前記駆動機構２１によれば、前記駆動モータ２２が作動すると、前記出力軸２４によって前後一対のボード体、つまりヘッドボード３とフットボード４に設けられたねじ軸２６が同期して駆動される。
【００５１】
各ヘッドボード３とフットボード４に設けられた各ねじ軸２６が同期して駆動されると、前記ねじ軸２６に螺合されたナット体２７が前記ねじ軸２６の回転方向に応じて図３に矢印Ａ或いはＣで示す方向に移動し、第１、第２のワイヤ２８，２９を矢印Ａで示す引張方向或いは矢印Ｃで示す繰り出し方向に駆動する。
【００５２】
それによって、ヘッドボード３及びフットボード４の両側に設けられたガイド部材１２がそれぞれ脚部材１８に沿って上昇或いは下降方向に移動するから、前記ガイド部材１２と一体的である前記ベッドフレーム１の長手方向の一端側と他端側を、同時に同じ高さで上下方向に駆動することができる。
【００５３】
つまり、前記ベッドフレーム１は水平な状態を維持して高さ調整することができる。図１は前記ベッドフレーム１を最も高い位置まで上昇させた状態を示し、図９は最も低い位置、つまりベッドフレーム１が床面に接近する位置まで下降させた状態を示している。
【００５４】
前記駆動機構２１による前記ベッドフレーム１の駆動は、図示しないリモートコントローラによって制御装置３８を介して制御及び設定することができるようになっている。前記制御装置３８は、図２に示すように前記フットボード４の下横部材１１の内面に設けられていて、前記リモートコントローラとで制御手段を構成している。
【００５５】
なお、前記リモートコントローラによる前記ベッドフレーム１の高さ調整は、前記ベッドフレーム１を最も低い位置と最も高い位置との間で無段階に行えるようになっている。
【００５６】
前記ストッパ装置１６は、図７（ａ）〜（ｃ）と図８（ａ），（ｂ）に示すように上面が開口し、内部を収容空間部４１ａとした筐体４１を有する。この筐体４１の上面開口は蓋体４２によって閉塞される。この蓋体４２は前記筐体４１にねじ止め固定される。
【００５７】
前記筐体４１内にはスライダ４３が前記筐体４１の長手方向に沿ってスライド可能に収容されている。このスライダ４３のスライド方向の一端面にはストッパ軸４４が突設され、他端面には係止軸４５が突設されている。
【００５８】
前記ストッパ軸４４は、前記筐体４１の長手方向一方の端部壁に穿設された通孔４６にスライド可能に挿通されている。前記通孔４６は、前記収容空間部４１ａの長手方向の一端を外部に連通させている。
【００５９】
前記スライダ４３の他端面と前記筐体４１の長手方向他方の端部壁の内面との間には、コイル状のばね４７が一端部を前記係止軸４５に係合させて設けられている。このばね４７は、図８（ａ）に示すように前記ストッパ軸４４が前記通孔４６から外部に突出するよう前記スライダ４３を付勢している。
【００６０】
前記スライダ４３の他端部側の上面には、スライド方向と直交する幅方向全長にわたって凹状の保持部４８が形成されている。この保持部４８には図７（ａ）に示すように両端に指掛け部５１が設けられた断面四角形状の軸部材からなる操作部材５２が設けられている。
【００６１】
前記操作部材５２の指掛け部５１が設けられた両端部は、前記筐体４１の両側壁に、上端面に開放して形成された切り欠き部５３を通されて外方へ突出している。前記切り欠き部５３は、図７（ｃ）に示すように前記スライダ４３に形成された前記保持部４８よりも浅い受け部５４と、この受け部５４よりも深く、前記保持部４８と同じ深さの係合部５５とが階段状に形成されている。
【００６２】
前記スライダ４３が前記ばね４７によって付勢されてスライドしたとき、図７（ａ）と図８（ａ）に示すように前記スライダ４３の先端面は前記筐体４１の通孔４６が穿設された一方の端部壁の内面に当たり、前記操作部材５２は前記受け部５４よりも浅い前記切り欠き部５３の受け部５４によって支持された位置にある。
【００６３】
前記スライダ４３がばね４７によって付勢された状態から、前記操作部材５２の一対の指掛け部５１に指を掛け、前記ばね４７を圧縮させながら前記操作部材５２とともに前記スライダ４３を、前記操作部材５２が前記切り欠き部５３の前記係合部５５側の垂直面に当たるまでスライドさせると、前記操作部材５２が前記係合部５５上に位置する。
【００６４】
その状態で、図８（ｂ）に示すように前記操作部材５２を下方へ変位させると、この操作部材５２は前記係合部５５に係合する。それによって、前記スライダ４３は圧縮された前記ばね４７の復元力によって前記筐体４１内で移動不能に保持される。
【００６５】
つまり、前記スライダ４３は、その一端に設けられた前記ストッパ軸４４が図８（ａ）に示すように前記筐体４１の通孔４６から突出した状態から、図８（ｂ）に示すように前記通孔４６内に入り込んだ状態となってスライド不能に保持される。
【００６６】
前記操作部材５２を前記係合部５５に係合させて保持された前記スライダ４３は、前記操作部材５２を上昇させて前記係合部５５との係合を外すことで保持状態が解除できる。つまり、保持状態が解除が解除されて前記スライダ４３がスライドすると、前記ストッパ軸４４は図８（ｂ）に示すように前記通孔４６内に入り込んだ状態から、図８（ａ）に示すように前記通孔４６から突出する。
【００６７】
そして、上述した構成のストッパ装置１６は、筐体４１の上面開口を閉塞した蓋体４２を上にして前記パネル部材１３の下端面にねじ止め固定されている。
【００６８】
前記パネル部材１３を、一対の前記ガイド部材１２間に挿入した状態において、図５（ｂ）に示すように前記パネル部材１３の幅方向両端部に設けられた一対の前記ストッパ装置１６の前記ストッパ軸４４を前記筐体４１の通孔４６から突出させると、前記ストッパ軸４４は一対の前記ガイド部材１２の前記突条１２ａの平坦面１２ｂの下端部に形成された係合孔５６に係合する。
【００６９】
それによって、前記パネル部材１３の幅方向両端の下端部は、一対の前記ストッパ装置１６によって一対の前記ガイド部材１２にスライド不能に保持される。  
前記パネル部材１３の下端面の一対の前記ストッパ装置１６の間の部分には、図４に示すように前記ストッパ装置１６の高さ寸法よりもわずかに大きな高さ寸法を有するスペーサ部材５７が設けられている。
【００７０】
前記スペーサ部材５７は、前記パネル部材１３を一対のガイド部材１２間に挿入したとき、前記下横部材１１の上面に当たり、前記パネル部材１３の下端面に設けられた前記ストッパ装置１６が前記下横部材１１の上面に直接に当たるのを防止している。
【００７１】
それによって、前記パネル部材１３を一対のガイド部材１２間に挿入したとき、前記ストッパ装置１６が衝撃を受け、前記操作部材５２による前記スライダ４３の保持状態が不用意に解除されるのを防止している。
【００７２】
上述したベッド装置Ｂによれば、ヘッドボード３とフットボード４を、下横部材１１、この下横部材１１の両端部に立設された一対のガイド部材１２、及びこのガイド部材１２間に挿脱可能に設けられたパネル部材１３によって構成し、前記パネル部材１３を一対のガイド部材１２間に挿入したとき、前記パネル部材１３をストッパ装置１６によって取り外し不能に保持固定できるようにした。
【００７３】
そのため、ベッド装置Ｂに横臥した利用者の、頭部の洗髪などのように頭部側の介護する場合、前記ストッパ装置１６の操作部材５２を操作し、前記ストッパ装置１６による前記パネル部材１３の保持固定状態を解除し、このパネル部材１３を上方へスライドさせて一対のガイド部材１２から取り外す。
【００７４】
それによって、介護者はベッド装置Ｂに仰臥した利用者の頭部側の介護を、前記ヘッドボード３側の前記パネル部材１３が取り外された空間部から行うことができるから、その介護作業を容易に、しかも能率よく行うことができる。
【００７５】
同様に、利用者の足部側の介護を行う場合には、前記フットボード４のパネル部材１３を取り外すことで、足部側の介護作業を容易かつ能率よく行うことができる。
【００７６】
前記ベッド装置Ｂは前記ガイド部材１２に脚部材１８をスライド可能に挿入し、この脚部材１８の前記ガイド部材１２のからの突出長さを駆動機構２１によって制御できるようになっている。
【００７７】
つまり、ベッド装置Ｂのベッドフレーム１の支持高さを、図１に示すように高くした状態や図９に示すように床面に接近する低い位置まで下降させることができる。そのため、利用者の頭部側や足部側の介護を行う場合、介護作業の種類に応じてその介護がし易いように前記ベッドフレーム１の高さを変えることができるから、そのことによって頭部側や足部側の介護作業を、能率よく、しかも作業者に掛かる負担を軽減して行うことができる。
【００７８】
前記ベッドフレーム１の高さを調整する駆動機構２１の大部分を、前記ヘッドボード３とフットボード４を構成する前記下横部材１１の内部に収容するようにしている。そのため、前記駆動機構２１を設けるために必要とする専用のスペースを小さくできるから、ベッド装置Ｂが大型化するのを防止できるばかりか、前記駆動機構２１が外部に露出する度合を少なくできるから、ベッド装置Ｂの外観の向上を図ることができる。
【００７９】
前記ヘッドボード３とフットボード４のパネル部材１３を前記一対のガイド部材１２に対して固定するストッパ装置１６を、前記パネル部材１３の下端面に設けるようにしている。
【００８０】
前記パネル部材１３の下端部は、マットレス上の利用者が触れ難い位置であるばかりか、床板体６の上面に載置されるマットレスなどの寝具によって隠れてしまう。そのため、マットレス上に仰臥した利用者が前記ストッパ装置１６の操作部材５２に不用意に触れ、前記ストッパ装置１６による前記パネル部材１３の固定状態を解除してしまうということを防止することができる。
【００８１】
たとえば、利用者が認知症の患者などの場合、前記ストッパ装置１６の操作部材５２が操作し難い位置にあることで、前記パネル部材１３を無意味に取り外して持ち歩いたり、振り回すなどのことを防止できるということもある。
【００８２】
前記ストッパ装置１６は前記パネル部材１３の下端面に設けられている。つまり、前記ストッパ装置１６は前記ヘッドボード３とフットボード４の、利用者が頻繁に手を掛ける上端部や身体が触れ易い側端部などに設けられていない。
【００８３】
そのため、前記ストッパ装置１６が利用者の手や身体に触れて不快感を与えるようなことがないばかりか、前記ヘッドボード３とフットボード４の外観を損ねるということもない。
【００８４】
前記パネル部材１３を一対の前記ガイド部材１２に固定するためのストッパ装置１６を設けたことで、前記パネル部材１３を一対の前記ガイド部材１２から取り外すためには、前記ストッパ装置１６を操作してストッパ軸４４による前記パネル部材１３のロック状態を（保持状態）解除する操作と、解除後に前記パネル部材１３を上方へスライドさせる操作とを行わなければならない。
【００８５】
つまり、前記ストッパ装置１６の操作と、前記パネル部材１３のスライド操作との２つの操作を必要とするから、そのことによっても前記パネル部材１３のロック状態が不用意に解除されるのを防止することができる。
【００８６】
さらに、前記ストッパ軸４４による前記パネル部材１３のロック状態を解除するには、図８（ａ）に示すように前記ストッパ装置１６のばね４７によって付勢されたスライダ４３を、図８（ｂ）に示すように前記操作部材５２により前記ばね４７の付勢力に抗してスライドさせ、前記ストッパ軸４４を筐体４１の通孔４６から外す。
【００８７】
ついで、前記操作部材５２を下方へ変位させ、この操作部材５２を筐体４１の側壁に形成された切り欠き部５３の係合部５５に係合させ、前記スライダ４３がばね４７の復元力によってスライドしないよう保持しなければならない。
【００８８】
つまり、前記パネル部材１３のロック状態を解除するためには、前記スライダ４３をスライドさせた後、前記操作部材５２を下方へ変位させて前記係合部５５に係合させるという２つの操作を行わなければならないから、このことによっても前記パネル部材１３のロック状態が不用意に解除されるのを防止できる。
【００８９】
さらに、前記ストッパ軸４４による前記パネル部材１３のロック状態を解除するためには、前記筐体４１の両側から外方へ突出した前記操作部材５２の両端の指掛け部５１にそれぞれ指を掛け、前記操作部材５２とともに前記スライダ４３をスライドさせなければならない。
【００９０】
前記操作部材５２の両端の指掛け部５１は前記パネル部材１３の下端から、このパネル部材１３の一側面側と他側面側に突出している。しかも、前記パネル部材１３の幅方向の端部には前記ガイド部材１２が位置している。
【００９１】
そのため、前記ロック状態の解除操作を行う場合、前記操作部材５２の一対の指掛け部５１の一方に一方の手の指を掛け、他方の指掛け部５１に他方の手の指を掛けなければ、前記操作部材５２をスライドさせることができない。つまり、前記ロック状態の解除操作は両方の手を使わなければ操作できないから、片方の手で容易に行える構造の場合のように、前記ロック状態の解除操作が不用意に行われるということもない。
【００９２】
前記ガイド部材１２の突条１２ａと、前記パネル部材１３の凹溝１４ａをスライド可能に係合させている。しかも、前記凹溝１４ａを形成する鉤部１４ｄを前記突条１２ａの両側に形成された凹部１２ｃに係合させることで、前記突条１２ａの平坦面１２ｂと前記凹溝１４ａの平坦面１４ｃを接触させている。
【００９３】
そのため、前記パネル部材１３は前記ガイド部材１２に対してがた付くことなくスライドさせることができる。しかも、下降位置にある前記パネル部材１３はストッパ装置１６によって前記ガイド部材１２に保持固定されるから、下降位置にある前記パネル部材１３に不用意な外力が加わっても、がた付くようなことがない。
【００９４】
この発明は種々変形可能である。たとえば、脚部材に対してベッドフレームのガイド部材を上下方向に駆動する駆動機構としてねじ軸に設けられたナット体によってワイヤを押し引きする構造を採用した。
【００９５】
それに代わって、前記ガイド部材と前記脚部材をシリンダやリニアガイドの駆動手段によって連結し、前記脚部材に対して前記ガイド部材を上下方向に駆動する構成としてもよい。
【００９６】
上述した実施の形態ではヘッドボートフットボードの両方にパネル部材が設けられ、これら両方のパネル部材にストッパ装置を設ける場合を例に挙げて説明したが、ベッド装置には一対の側部材の一端側にはボード体であるヘッドボードが設けられるが、他端側にはフットボードを設けず、単に帯板状の端部材を連結してベッドフレームとすることがある。
【００９７】
このような構成のベッド装置においては、ヘッドボードだけにストッパ装置が適用されることになる。
【００９８】
前記ストッパ装置を前記パネル部材の下端面に設ける例を挙げて説明したが、前記ストッパ装置は前記パネル部材の上端部を除く部分に設けるようにしてもよい。つまり、前記パネル部材の下端面だけでなく、側辺部に設けるようにしてもよい。しかも、前記パネル部材の内面側でなく、マットレス上の利用者が触れ難い外面側に設けることが好ましい。
【００９９】
それによって、利用者がマットレス上で立ち上がるときなどに前記パネル部材の上端に手を掛けたり、前記パネル部材に寄り掛かるなどしても、利用者に前記ストッパ装置が触れたり、当たるなどして不快感を与えるのを防止できる。さらに、前記ストッパ装置が前記パネル部材の外面に設けられることで、利用者が不要に操作してしまうのを防止できるということもある。
【符号の説明】
【０１００】
１…ベッドフレーム、２…側部材、３…ヘッドボード（ボード体）、４…フットボード（ボード体）、６…床板体、９…背上げ駆動機構、１０…取付け孔（取付け部）、１１…下横部材、１２…ガイド部材、１２ａ…突条、１４ａ…凹溝、１６…ストッパ装置、１８…脚部材、２１…駆動機構、４１…筐体、４２…蓋体、４３…スライダ、４４…ストッパ軸、５２…操作部材、４６…ダブルボールプランジャ（係止部材）
【図１】
2016036645.tif 000003
【図２】
2016036645.tif 000004
【図３】
2016036645.tif 000005
【図４】
2016036645.tif 000006
【図５】
2016036645.tif 000007
【図６】
2016036645.tif 000008
【図７】
2016036645.tif 000009
【図８】
2016036645.tif 000010
【図９】
2016036645.tif 000011
【図１０】
2016036645.tif 000012